(57)【要約】【課題】  市販のドライヤーあるいはふとん乾燥機等を暖めの熱源としても、寝具の温度上昇を抑えることで、低温火傷を起こす恐れのない、簡便にかつ安全に寝具を暖めることができる温風接続口付き寝具を提供する。【解決手段】  寝具本体１と、寝具本体１の内部に挿入された空間材５と、空間材５に空気を吹き込むために寝具本体１に設けられた接続口Ａ１３と、寝具本体１の上に載せられ適度の断熱効果を有する敷物１５と、敷物１５に取り付けられ一端には前記寝具本体１の接続口Ａ１３と接続可能な接続口Ｂ２１を有し、他端には接続口Ｃ２２を有し接続口Ｂ２１と接続口Ｃ２２は連通している接続ユニット２０と、前記空間材５に接続口Ｄ２７を有する連結管２６を介して温風を供給する温風供給手段２５とを備え、温風供給手段２５の接続口Ｄ２７は寝具本体１に設けられた接続口Ａ１３とは接続不可能であるが、敷物１５に設けられた接続ユニット２０の接続口Ｃ２２とは接続可能とした。【選択図】  図１
2006158801.tif 000002
【特許請求の範囲】
【請求項１】
寝具本体（１）と、寝具本体（１）の内部に挿入された空間材（５）と、空間材（５）に空気を吹き込むために寝具本体（１）に設けられた接続口Ａ（１３）と、寝具本体（１）の上に載せられ適度の断熱効果を有する敷物（１５）と、敷物（１５）に取り付けられ一端には前記寝具本体（１）の接続口Ａ（１３）と接続可能な接続口Ｂ（２１）を有し、他端には接続口Ｃ（２２）を有し接続口Ｂ（２１）と接続口Ｃ（２２）は連通している接続ユニット（２０）と、前記空間材（５）に接続口Ｄ（２７）を有する連結管（２６）を介して温風を供給する温風供給手段（２５）とを備え、温風供給手段（２５）の接続口Ｄ（２７）は寝具本体（１）に設けられた接続口Ａ（１３）とは接続不可能であるが、敷物（１５）に設けられた接続ユニット（２０）の接続口Ｃ（２２）とは接続可能としたことを特徴とする温風接続口付き寝具。
【発明の詳細な説明】
【技術分野】
【０００１】
本発明は、温度調節のできる寝具に関するものであり、特に市販品のドライヤーやふとん乾燥機等を暖房の熱源としたとき、暖めすぎを防止することにより、低温火傷が防止でき、簡便にかつ安全に寝具の暖房を行うことができる温風接続口付き寝具に関するものである。
【背景技術】
【０００２】
従来のこの種の温度調節のできる寝具は、図８にしめすような構造のものが知られている。すなわち、敷布団本体８１と、この敷布団本体８１の中間に位置する通気性を有する硬質層８２と、その硬質層８２を包み込んで温風を通風させるための送風袋８３と、この送風袋８３の開口部８４と、柔軟層の中綿８５と、上側地８６と、下側地８７と、ふとん乾燥機と接続する送風口８８とから構成される。  送風袋８３はふとん乾燥機から送り込まれる温風を敷布団本体８１中心部まで導き、適度に空気が抜けるナイロン繊維製の袋で形成されているものであり、送風袋８３の開口部８４とふとん乾燥機の接続パイプとを接続させる送風口８８が敷布団本体８１に設けられている。これにより、送風袋８３の内部にふとん乾燥機からの温風を供給することにより敷布団を暖める（特許文献１参照）。
【０００３】
【特許文献１】特開平８−８４６４２号公報
【発明の開示】
【発明が解決しようとする課題】
【０００４】
しかしながら、上記の従来技術において、温風供給手段がドライヤーやふとん乾燥機のような一般的な市販品を使用するものであり、簡単に熱源を接続できる半面、温風の温度コントローができないため、敷布団の表面温度が５０℃〜６０℃にも上昇し、その上にそのまま寝ると、低温火傷を起こす恐れのあるものであった。
【０００５】
また、敷布団の上に別の敷物を載せ、人が寝る面の温度上昇を抑えることはできるが、使う人によっては、必ずしも敷物を使うとは限らず、安全性の面からは不十分なものであった。
【課題を解決するための手段】
【０００６】
本発明は上記の問題を解決するためになされたものであり、寝具本体と、寝具本体の内部に挿入された空間材と、空間材に空気を吹き込むために寝具本体に設けられた接続口Ａと、寝具本体の上に載せられ適度の断熱効果を有する敷物と、敷物に取り付けられ一端には前記寝具本体の接続口Ａと接続可能な接続口Ｂを有し、他端には接続口Ｃを有し接続口Ｂと接続口Ｃは連通している接続ユニットと、前記空間材に接続口Ｄを有する連結管を介して温風を供給する温風供給手段とを備え、温風供給手段の接続口Ｄは寝具本体に設けられた接続口Ａとは接続不可能であるが、敷物に設けられた接続ユニットの接続口Ｃとは接続可能としたものである。
【発明の効果】
【０００７】
本発明の温風接続口付き寝具は、上記のように構成したことにより、寝具本体の接続口Ａに温風供給手段の接続口Ｄを直接つなごうとしても接続することができないが、寝具本体の上に載せた敷物に取り付けられた接続ユニットを介して、一端を寝具本体の接続口Ａに接続し、他端を温風供給手段の接続口Ｄに接続することにより、温風供給手段からの温風を寝具本体の空間材に供給することができるものである。したがって、この寝具本体を使う人は必ず、寝具本体の上に敷物を載せて使わなければならず、温風供給手段が一般の市販されているふとん乾燥機のような温風の温度をコントロールができない簡単な熱源でも、敷物という介在物を介すことで、寝床面の温度を下げることができ、簡単に寝具を暖められるとともに、特に特別な熱源を使うことなく、暖めた後就寝しても低温火傷などの心配のない温風接続口付き寝具を提供することができる。
【０００８】
また、寝具本体と敷物は簡単に分離することができるため、移動や折りたたんで収納するときは、かさばらず、また、重量も軽くなるため取り扱いが大変楽である。
【０００９】
また、寝具本体と敷物が分離できるため、いろんなバリエーションの敷物を用意することにより、使う人が自分に合った暖かさの寝具とすることができる。
【００１０】
また、夏場は敷物を取り外して寝具本体の上で就寝することにより、涼しく就寝することができる。
【発明を実施するための最良の形態】
【００１１】
以下、本発明の一実施例を図１〜図７を参照して説明する。
【００１２】
図１は本発明の一実施例を示す温風接続口付き寝具の概略縦断面図、図２は同じく平面図、図３は同じく寝具本体の縦断面図、図４は同じく寝具本体の平面図、図５は同じく敷物の縦断面図、図６は同じく要部縦断面図、図７は同じく要部縦断面図である。
【００１３】
図において、１は敷き布団である寝具本体、２は寝具本体１の上生地、３は中綿で、薄いウール綿が用いられている。
【００１４】
４は寝具本体の下生地、５は空間材で、寝具本体１の内部に挿入され、プラスチック製の糸を多数編み込んで立体格子形状をしていて、これにより連通する空気層が形成され空気が流通するものであり、この上に人体が仰臥しても連通する空気層がつぶれてしまうことがないような強度を有している。そして、この空間材５は後記する袋に入れられ、さらに中綿３と上生地２と下生地４とで包まれている。
【００１５】
６は寝具本体１の側地で、ヘムテープ７により上生地２と側地６および側地６と下生地４が一体になるように縫製糸Ａ８で縫製されている。
【００１６】
９は縫製糸Ｂで、上生地２と空間材５と下生地４は寝具本体１の内側部で部分的に縫製糸Ｂ９により縫製されている。
【００１７】
１０は寝具本体１に設けられた開口部で、後記する温風供給手段２５からの温風を連結管２６を介して寝具本体１に送り込む構成となっている。
【００１８】
１１は袋で、寝具本体１の内部に挿入された空間材５を包み適度に空気が抜けるようなナイロン繊維で構成されている。
【００１９】
１２は袋１１の吹き込み口、１３は接続口Ａで、空間材５に空気である温風を吹き込むために袋１１の吹き込み口１２の内側に取り付けられ、筒状の形状をしており、縫製糸Ｃ１４で袋１１の吹き込み口１２に縫製されている。
【００２０】
１５は敷物で、寝具本体１の上に載せられ、羊毛製の上生地１６と中綿１７を内在した下生地１８との周囲をヘム加工するとともに、全面に渡ってキルティング加工１９が施されているものであり、適度の断熱性を有するものである。
【００２１】
２０は筒状の接続ユニットで、一端には接続口Ｂ２１を有し、他端には接続口Ｃ２２を有していて、接続口Ｂ２１と接続口Ｃ２２は連通している。また、接続ユニット２０は敷物１５に取り付けられるように接続板２３が一体に設けられており、この接続板２３と敷物１５は縫製糸Ｄ２４で縫製され固定されている。接続ユニット２０の筒状の接続口Ｂ２１は寝具本体１の袋１１に設けられた接続口Ａ１３の内周に挿入できる大きさとなっており、接続口Ａ１３に挿入して接続することができる。
【００２２】
また、接続ユニット２０の筒状の接続口Ｃ２２は、円周上に溝２２ａが設けてありこの溝２２ａに温風供給手段２５の連結管２６に設けられた接続口Ｄ２７を挿入することにより接続され、温風供給手段２５から送風される温風が寝具本体１内に吹き込まれる。
【００２３】
２５は温風供給手段で、ドライヤーやふとん乾燥機のような一般に市販され、簡単に温風を送風することができるものである。
【００２４】
２６は連結管で、温風供給手段２５からの温風を寝具本体１の開口部１０に送り込むためのものであり、先端部には筒状の接続口Ｄ２７が設けられ、この接続口Ｄ２７は寝具本体１に設けられた接続口Ａ１３とは筒状の口径が同じ大きさとなっているため接続口Ａ１３とは接続不可能であるが、接続ユニット２０の接続口Ｃ２２の円周上に設けられた溝２２ａに入り込むことができるため接続口Ｃ２２とは接続可能となっている。
【００２５】
次に、以上の構成による動作を説明する。寝具本体１の接続口Ａ１３に敷物１５の接続ユニット２０の接続口Ｂ２１を挿入しながら寝具本体１の上に敷物１５を載せる。
【００２６】
次に、温風供給手段２５の連結管２６に設けられた接続口Ｄ２７を敷物１５の接続ユニット２０の接続口Ｃ２２に差し込み、温風供給手段２５の運転を開始すると、温風が連結管２６を介し、敷物８の接続ユニット２０と、寝具本体１の接続口Ａ１３を通り寝具本体１の空間材５に送り込まれる。
【００２７】
空間材５に送り込まれた温風は、空間材５の連通した空気層を通り寝具本体１全体に行き渡り、空間材５を包む袋１１から抜けて上下の中綿３と上生地２と下生地４の寝具本体１全体から抜け出す。このとき、寝具本体１は上生地２と中綿３と空間材５と下生地４を縫製糸Ｂ９で部分的に縫製固定しているため、温風を寝具本体１内に送風しても寝具本体１が膨らむことはない。
【００２８】
そして、温風供給手段２５に一般に市販されているふとん乾燥機等を使用すると、このとき寝具本体１の表面温度は５０℃〜６０℃にも達するが、敷物１５が寝具本体１の上に載っているので、敷物１５の表面温度はそれ程高くなることはなく、その上で人が就寝しても低温火傷を起こす恐れが無く快適に睡眠することができ安全である。
【００２９】
また、図７は寝具本体１の上に敷物１５を載せない状態の図であり、この状態では寝具本体１に設けられた筒形の接続口Ａ１３と、温風供給手段２５の連結管２６に設けられた接続口Ｄ２７とを接続することはできず、寝具本体１に温風を供給することはできないようになっている。このように、寝具本体１の上に敷物１５を載せて、敷物１５に設けられた接続ユニット２０を用いて寝具本体１と敷物１５を一体に用いることで、初めて寝具本体１に温風供給手段２５から温風を吹き込むことができる。
【００３０】
このように、寝具本体１の接続口Ａ１３に温風供給手段２５の接続口Ｄ２７を直接つなごうとしても接続することができないが、寝具本体１の上に載せた敷物１５に取り付けられた接続ユニット２０を介して、一端を寝具本体１の接続口Ａ１３に接続し、他端を温風供給手段２５の接続口Ｄ２７に接続することにより、温風供給手段２５からの温風を寝具本体１の空間材５に供給することができるものであり、この寝具本体１を使う人は必ず、寝具本体１の上に敷物１５を載せて使わなければならず、温風供給手段２５が一般の市販されているふとん乾燥機のような温風の温度をコントロールができない簡単な熱源でも、敷物１５という介在物を介すことで、寝床面の温度を下げることができ、簡単に寝具を暖められるとともに、特に特別な熱源を使うことなく、暖めた後就寝しても低温火傷などの心配のない温風接続口付き寝具を提供することができる。
【００３１】
また、寝具本体１と敷物１５は簡単に分離することができるため、移動や折りたたんで収納するときは、かさばらず、また、重量も軽くなるため取り扱いが大変楽である。
【００３２】
また、寝具本体１と敷物１５が分離できるため、いろんなバリエーションの敷物１５を用意することにより、使う人が自分に合った暖かさの寝具とすることができる。
【００３３】
また、夏場は敷物を取り外して寝具本体の上で就寝することにより、涼しく就寝することができる。
【００３４】
なお、本実施例では、空間材５はプラスチック製の糸を編み込んだもので構成しているが、樹脂製の成型品やへちまなど、連通する空気層を有する立体格子空間が構成できるものであれば何でも良い。
【図面の簡単な説明】
【００３５】
【図１】本発明の一実施例を示す温風接続口付き寝具の概略縦断面図である。
【図２】同じく平面図である。
【図３】同じく寝具本体の縦断面図である。
【図４】同じく寝具本体の平面図である。
【図５】同じく敷物の縦断面図である。
【図６】同じく要部縦断面図である。
【図７】同じく要部縦断面図である。
【図８】従来例の縦断面図である。
【符号の説明】
【００３６】
１  寝具本体
５  空間材
１３  接続口Ａ
１５  敷物
２０  接続ユニット
２１  接続口Ｂ
２２  接続口Ｃ
２５  温風供給手段
２６  連結管
２７  接続口Ｄ
【図１】
2006158801.tif 000003
【図２】
2006158801.tif 000004
【図３】
2006158801.tif 000005
【図４】
2006158801.tif 000006
【図５】
2006158801.tif 000007
【図６】
2006158801.tif 000008
【図７】
2006158801.tif 000009
【図８】
2006158801.tif 000010